(57)【要約】【課題】複数の貯湯タンクを有する貯湯式給湯装置において、タンクの排水工事性の向上とホッパーの小型化によるコスト低減と省スペース化を目的とする。【解決手段】複数の貯湯タンク1，２と、前記複数の貯湯タンク１，２の底部とそれぞれ連通するように接続された複数の排水管６，７と、前記給湯側貯湯タンク２の上部に設けられた逃がし弁８からの膨張水を排水する膨張水排水管９とを備えた貯湯式給湯装置において、前記複数の貯湯タンク１，２の底部と連通する複数の排水管６，７と前記給湯側貯湯タンク２の上部に設けられた逃がし弁８からの膨張水を排水する膨張水排水管９を１つの排水バルブ１０に接続し、この排水バルブ１０に接続された共通排水管１１から排水するように構成した。【選択図】      図１
2009186066.tif 000002
【特許請求の範囲】
【請求項１】
複数の貯湯タンクと、前記複数の貯湯タンクの底部とそれぞれ連通するように接続された複数の排水管と、前記給湯側貯湯タンクの上部に設けられた逃がし弁からの膨張水を排水する膨張水排水管とを備えた貯湯式給湯装置において、
前記複数の貯湯タンクの底部と連通する複数の排水管と前記給湯側貯湯タンクの上部に設けられた逃がし弁からの膨張水を排水する膨張水排水管を１つの排水バルブに接続し、この排水バルブに接続された共通排水管から排水するように構成したことを特徴とする貯湯式給湯装置。
【請求項２】
前記排水バルブは、前記逃がし弁からの膨張水を排水する膨張水排水管と前記共通排水管とは常時連通状態を維持し、前記複数の貯湯タンクの底部と連通する複数の排水管と前記共通排水管とは弁体の切り換え操作により連通と遮断が選択されるように構成されていることを特徴とする請求項1記載の貯湯式給湯装置。
【発明の詳細な説明】
【技術分野】
【０００１】
本発明は、複数の貯湯タンクを備えた貯湯式給湯装置に関するものである。
【背景技術】
【０００２】
貯湯式給湯装置においては、従来から貯湯タンクを複数備えたものがあり、各貯湯タンクの湯水をその底部から流出させて一つの排水弁を介して排水する排水路を設けているものがある（例えば、特許文献1参照）。
【０００３】
【特許文献１】特開２００５−１６４１５３号公報
【発明の開示】
【発明が解決しようとする課題】
【０００４】
しかしながら、逃がし弁からの膨張水を排水する排水口と、各貯湯タンクからの排水口とは別々であるため、別々に排水を導く経路が必要である。それに伴い、排水を受けるホッパーが大形化するためコスト増となり、施工時のスペースも多く必要であるため、排水工事性の悪化につながっていた。
【０００５】
本発明は、上記のような課題を解決するためになされたもので、複数の貯湯タンクの排水作業と逃し弁からの膨張水を排水する作業が1つの排水バルブで行われるため、排水工事性の向上とホッパーの小型化によるコスト低減と省スペース化を目的とする。
【課題を解決するための手段】
【０００６】
本発明の貯湯式給湯装置は、複数の貯湯タンクと、前記複数の貯湯タンクの底部とそれぞれ連通するように接続された複数の排水管と、前記給湯側貯湯タンクの上部に設けられた逃がし弁からの膨張水を排水する膨張水排水管とを備えた貯湯式給湯装置において、前記複数の貯湯タンクの底部と連通する複数の排水管と前記給湯側貯湯タンクの上部に設けられた逃がし弁からの膨張水を排水する膨張水排水管を１つの排水バルブに接続し、この排水バルブに接続された共通排水管から排水するように構成したものである。
【発明の効果】
【０００７】
本発明の貯湯式給湯装置によれば、複数の貯湯タンク側排水経路と逃がし弁からの膨張水側排水経路が一つの排水バルブに接続されていることにより、排水工事性の向上を図ることができる。さらに外界へ排水される排水口を低減できるため、排水を受けるホーパー小型化によるコスト低減と省スペース化が図れるといった効果がある。
【発明を実施するための最良の形態】
【０００８】
実施の形態１．
図１は本発明の実施の形態１を示す貯湯式給湯装置の要部構成図であり、以下、図面に基づき、本構成についての詳細を説明する。
【０００９】
図１に示す実施の形態１の貯湯式給湯装置では、直列接続された２つの貯湯タンク１，２を備えており、取水側貯湯タンク１の底部には水を供給する給水管３が接続されている。取水側貯湯タンク１の上部と給湯側貯湯タンク２の底部とは連結管４で接続されており、給湯側貯湯タンク２の上部には湯を取り出す給湯管５が接続されている。
【００１０】
取水側貯湯タンク1の底部にはタンク１内の水を排水するための第１の排水管６の一端が接続され、給湯側貯湯タンク２の底部にはタンク２内の水を排水するための第２の排水管７の一端が接続されている。
給湯管５には沸き上げ時の膨張水を排水する逃がし弁８が接続され、逃がし弁８には膨張水排水管９の一端が接続されている。そして、前記第１の排水管６の他端、第２の排水管７の他端、膨張水排水管９の他端は１つの排水バルブ１0に接続され、第１の排水管６、第２の排水管７, 膨張水排水管９の３つの排水経路の合流部が排水バルブ１０となっている。
さらに、排水バルブ１０には上記３つの排水経路から実際に外界へ排水するための共通排水管１１が接続されている。
【００１１】
次に、本実施の形態１における貯湯式給湯装置の動作について説明する。
まず給水時には、給水管３から給水され、取水側貯湯タンク１、連結管４、給湯側貯湯タンク２の順に給水され、沸き上げられた湯が２つの貯湯タンクに貯められる。出湯時には、給湯側貯湯タンク２の上部と接続された給湯管５から出湯される。また、沸き上げ時の膨張水は逃がし弁８を介して膨張水排水管９から排出される。
【００１２】
図２は３つの排水経路が接続される前記排水バルブ１０の一例を示す断面図であり、以下、図面に基づき、本構成での排水時の詳細を説明する。
【００１３】
図２において、排水バルブ本体１２には、貯湯タンク１，２内の水を排水する第１の排水管６，第２の排水管７の他端が接続される第１の接続口１２、第２の接続口１４と、逃がし弁８からの膨張水が排水される膨張水排水管９の他端が接続される第３の接続口１５を備えている。
【００１４】
排水バルブ本体１２内には円筒状の回動可能に配置された弁体１６を備え、弁体１６には第１の開口１７と第２の開口１８を有する。排水バルブ本体１２の内部に嵌合する弁体１６は、回動させる軸部１９が一体的に上方に突出し、軸部１９の上端には操作用のレバー２０を備えている。さらに、３つの接続口１２，１３、１４から流入した水を実際に外界へ排水するための共通の排水口２１を備えている。
【００１５】
上記構成により、沸き上げ時の膨張水を排水する膨張水排水管９と接続される第３の接続口１５は前記排水口２１と常時連通状態を維持している。また長期不使用時などの場合に行うタンク側排水は、第１の接続口１３と第２の接続口１４および第１の開口１７、第２の開口１８は排水バルブ本体１２から図２において、水平方向に、すなわち円筒状の軸方向と直行する方向に設けられているため、レバー２０を回動させることにより、連通と遮断の切り換えが選択可能となる。
【００１６】
以上のように複数のタンク側排水と逃がし弁８からの膨張水排水が1つの排水バルブ１０に接続されることにより、実際に給湯機から外界へ排出される排水口２１は1つであるため、排水を受けるホッパーの小型化によるコスト低減と省スペース化が可能である。また、タンク側排水と膨張水側排水の作業が1つの排水バルブ１０で行うことができるため、排水工事性を向上させることが可能である。
【図面の簡単な説明】
【００１７】
【図１】本発明の実施の形態１を示す貯湯式給湯装置の構成図である。
【図２】本発明の実施の形態１を示す排水バルブの断面図である。
【符号の説明】
【００１８】
１  取水側貯湯タンク  
２  給湯側貯湯タンク  
３  給水管  
４  連結管  
５  給湯管  
６  第１の排水管  
７  第２の排水管  
８  逃がし弁  
９  膨張水排水管  
１０  排水バルブ  
１１  共通排水管  
１２  排水バルブ本体  
１３  第１の接続口  
１４  第２の接続口  
１５  第３の接続口  
１６  弁体  
１７  第１の開口  
１８  第２の開口  
１９  軸部  
２０  レバー  
２１  排水口
【図１】
2009186066.tif 000003
【図２】
2009186066.tif 000004